(57)【要約】      （修正有）【課題】ネットワークにおける通信機器の監視に係る処理負荷を軽減する。【解決手段】通信回線１２に接続され自機器内部におけるオブジェクトの状態変化があった場合に外部に向けて出力されるイベント通知としてのトラップ情報の出力を管理するオブジェクト管理部３２，４２，５２をそれぞれが備えた複数の通信機器３０，４０，５０と、前記トラップ情報に基づいて前記各通信機器３０，４０，５０の動作状態を監視するネットワーク管理装置１１とを備え、前記オブジェクト管理部３２，４２，５２が、前記状態変化により生じるトラップ情報の発生を、前記オブジェクトの一部に対してこれを抑止制御するトラップ出力抑止制御機能を備える。【選択図】図１
2014164737.tif 000002
【特許請求の範囲】
【請求項１】
通信回線に接続され自機器内部におけるオブジェクトの状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備え、
前記オブジェクト管理部が、前記状態変化により生じるトラップ情報の発生を、前記オブジェクトの一部に対してこれを抑止制御するトラップ出力抑止制御機能を備えたことを特徴とする通信システム。
【請求項２】
請求項１に記載の通信システムにおいて、
前記各通信機器は、前記オブジェクト管理部と、このオブジェクト管理部に併設され前記オブジェクトが格納されたオブジェクト用データベースと、前記オブジェクトが備えている構成内容に対する外部からの構成変更要求があった場合にこれを前記オブジェクト管理部に伝達する変更要求送受信部とを備え、
前記オブジェクト用データベースはグループ分けされた前記オブジェクトの複数を各グループ毎に区分けして記憶すると共に、各グループのオブジェクトは、予め上位から下位にわたって親子関係で順次ランク付されていることを特徴とした通信システム。
【請求項３】
請求項２に記載の通信システムにおいて、
前記オブジェクト管理部の前記トラップ出力抑止制御機能は、前記各グループ分けされた複数のオブジェクトの下位側に位置するオブジェクトを対象として個別に前記トラップの出力を抑止制御するように機能することを特徴とした通信システム。
【請求項４】
請求項２に記載の通信システムにおいて、
前記一の通信機器の前記オブジェクト管理部は、対応する他の通信機器におけるトラップ出力の抑止設定を要求するためのトラップ抑止設定要求を前記変更要求送受信部を介して前記他の通信機器に対して送信するトラップ抑止要求送信制御機能を備えていることを特徴とした通信システム。
【請求項５】
請求項４に記載の通信システムにおいて、
前記オブジェクト管理部は、前記他の通信機器からトラップ抑止完了通知が送られて来た場合に機能し、自機器の前記構成変更の対象となるオブジェクトの構成変更を実行する構成変更実行処理機能を備えていることを特徴とする通信システム。
【請求項６】
請求項５に記載の通信システムにおいて、
前記オブジェクト管理部は、自機器の前記オブジェクト用データベースから構成変更完了通知が送られて来た場合に機能し、当該自機器の前記オブジェクト用データベースに対して前記各オブジェクトに対するトラップ抑止状態を解除するトラップ抑止解除機能を備えていることを特徴とした通信システム。
【請求項７】
請求項６に記載の通信システムにおいて、
前記自機器にかかる前記オブジェクト管理部は、対応する他の通信機器にて実行されているトラップ抑止状態の設定解除要求を前記変更要求送受信部を介して送信する解除要求送信制御機能を備えていることを特徴とした通信システム。
【請求項８】
請求項７に記載の通信システムにおいて、
前記オブジェクト管理部は、前記他の通信機器からトラップ抑止解除完了通知が送られて来た場合に機能し、前記構成変更の完了を前記ネットワーク管理装置に対してオブジェクト構成変更完了通知を生成し送信する構成変更完了通知機能を備えていることを特徴とした通信システム。
【請求項９】
通信回線に接続され自機器内部におけるオブジェクトに状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備えた通信システムにあって、
前記通信回線を介して前記ネットワーク管理装置から前記一の通信機器に対してオブジェクトに対する構成変更要求が送り込まれた場合、当該一の通信機器では当該構成変更の実行に先立って、前記オブジェクトが複数格納されているオブジェクト用データベースに対して構成変更が実行された場合に出力される前記トラップ情報についてその出力抑止を要請し（トラップ抑止要請工程）、
この出力抑止要請後に、前記オブジェクト用データベースに対して前記複数のオブジェクトの内の一部のオブジェクトを対象として前記トラップ情報の出力を抑止するトラップ情報出力抑止状態を設定し（トラップ抑止状態設定工程）、
同時に、対応関係にある他の通信機器に対しても、オブジェクトの構成変更時におけるトラップ情報の出力の抑止を要求するようにし（トラップ抑止要求工程）、
これらの各工程を前記オブジェクト管理部が順次実行することを特徴とした通信負荷抑制方法。
【請求項１０】
通信回線に接続され自機器内部におけるオブジェクトに状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備えた通信システムにあって、
前記通信回線を介して前記ネットワーク管理装置から前記一の通信機器に対してオブジェクトに対する構成変更要求が送り込まれた場合に稼働し、当該構成変更の実行に先立って、前記オブジェクトが複数格納されているオブジェクト用データベースに対して構成変更の実行時に出力される前記トラップ情報についてその出力抑止を要請するトラップ抑止要請出力機能、
この出力抑止の要請後に機能し前記オブジェクト用データベースに格納された複数のオブジェクトの内の一部のオブジェクトを対象としてトラップ抑止状態を設定するトラップ抑止状態設定機能、
および対応関係にある他の通信機器に対しても、オブジェクトの構成変更時におけるトラップ情報の出力の抑止を要求するトラップ抑止要求送信処理機能、
を設け、これらの各機能を前記一の通信機器が備えているコンピュータに実現させるようにしたことを特徴とする通信負荷抑制プログラム。
【発明の詳細な説明】
【技術分野】
【０００１】
本発明は、通信システムに係り、特にコンピュータネットワーク内の通信機器における動作状態を通信情報に基づいて監視し不要な通信負荷の増大を抑制するようにした通信システム、通信負荷抑制方法、及びそのプログラムに関する。
【背景技術】
【０００２】
従来より、コンピュータネットワークに接続されたネットワーク管理装置（ＮＭＳ：ネットワークマネジメントシステム）若しくはローカル制御端末の関連技術として、ＳＮＭＰ（Simple Network Management Protocol）を使用してコンピュータネットワーク全体の運用状態を監視するシステムが知られている。
ここで、ＳＮＭＰとは、管理対象となるネットワーク上の各種接続機器（エージェント）の相互間で成されるデータ授受の方法を定めた規則（取決め事項）のことである。
【０００３】
かかるシステムにおけるＮＭＳの監視対象である通信機器では、従来より、自己機器内やコンピュータネットワークにおける状態変化（イベント）を検知した場合にＳＮＭＰトラップを生成し、これをＮＭＳに対して通知する機能を備えている。そして、ネットワーク管理装置側では送り込まれたＳＮＭＰトラップに基づいてコンピュータネットワークおよび通信機器における動作状態や運用状態の監視を行っている。
【０００４】
ここで、トラップ（ＴＲＡＰ）とは、状態変化（イベント）を検知した場合に発信される状態変化検知信号（イベント通知）のことをいう。
このため、通信機器からは通信機器内でイベントが発生する毎にＳＮＭＰトラップが送信される。
【０００５】
例えば、ＩＥＥＥ８０２．３ｚで規定されるギガビット・イーサネット（登録商標）（ＧｂＥ）等のリンクを持つ通信機器で物理ポートの構成変更が行われた場合には、通信機器におけるネットワークに対する接続切断（リンク断）というイベント（状態変化）が発生する。
【０００６】
そして、対象ポートに物理ポート同士を束ねて一つの論理リンクにみせるＩＥＥＥ８０２．３ａｄで規定されるリンクアグリゲーション（ＬＡＧ）を組んでいた場合や、ＩＥＥＥ８０２．１ＱやＩＥＥＥ８０２．１ａｄで規定されるＶＬＡＮが設定されている場合には、ＬＡＧやＶＬＡＮに対しても状態変化が発生するため、障害通知用のトラップが送信される。
【０００７】
更に、リンクを介して対向する通信機器においても、構成変更を要因としたリンクが切断された（即ち、リンク断が生じた）場合には、障害通知用のトラップがＮＭＳ（ネットワーク管理装置）に対して送信される。
【０００８】
一方、上記通信機器に関する状態変化関連技術として、従来より、下記特許文献１乃至３が知られている。
この内、特許文献１には装置監視ネットワークシステムにおけるＳＮＭＰトラップの管理方法が開示されている。又、特許文献２及び３にはイベント通知メッセージ（トラップ）が短期間に集中した場合の管理端末の負荷増大を抑制する技術が開示されている。
【先行技術文献】
【特許文献】
【０００９】
【特許文献１】特開２００８−１９８０４１号公報
【特許文献２】特開２０１０−２４５５７７号公報
【特許文献３】特開２０１１−９９３１号
【発明の概要】
【発明が解決しようとする課題】
【００１０】
上記したように、ＳＮＭＰを使用してネットワークの運用状態が監視される通信機器においては、ネットワークや通信機器の状態変化をＮＭＳ（ネットワーク管理装置）に通知するため、イベントが発生する毎にＳＮＭＰトラップが送信される。
【００１１】
このため、ネットワーク内で転送されるトラヒックの増加や、接続されるネットワークの増加によって複雑なネットワーク管理が必要になる。また、通信機器一台に対して設定される構成情報が膨大なものとなってしまう場合がある。
【００１２】
又、例えば、通信機器のネットワーク構成に変更があった場合で、通信機器内におけるオブジェクトの構成変更を行う場合には、全ての設定変更が完了する迄は装置内部で多くの状態変化が検知されるので、ＳＮＭＰトラップとしての通知情報がＮＭＳ（ネットワーク管理装置）に大量に通知されるという状況が発生する。
ここで、オブジェクトとは、プログラムを構成する基本形なモジュールであり、具体的には、ある種の「もの」の機能等をデータ化し且つこれとその実行手続きとを一体化（カプセル化）したものをいう。
【００１３】
一方、ＳＮＭＰトラップの増加は、監視対象のコンピュータネットワーク（管理ネットワークという）に流れる通信量（トラヒック）増加につながるため、その他の管理用通信を圧迫してしまうといった不都合が生じ得る。
【００１４】
特に管理ネットワークの通信帯域が狭い場合には、構成変更によるトラップ多発（通知情報の多発）によって、その他のサービスとしての通信機器における障害報告や、その他の装置やネットワークの構成変更にも遅延が生じてしまうといった不都合が生じ得る。
【００１５】
更に、この場合、管理通信の遅延が発生することによってＮＭＳの操作性に支障をきたす可能性があり、ネットワーク運用全体に問題が生じ得る。また、ＮＭＳを中継する通信機器が存在する場合には、その通信機器自体のＣＰＵ処理の負荷も高まり、通信機器が行っているその他サービスへの影響も発生し得る。
【００１６】
一方、上記特許文献１乃至３には、その何れにも、管理端末（ネットワーク管理装置）の負荷増大に伴う課題を改善する具体的な技術的手段については、何らの開示も成されてはいない。
【００１７】
［発明の目的］
本発明は、上記関連技術の有する不都合を改善し、管理ネットワークにおける通信機器の監視に係る処理負荷を有効に軽減し得る通信システム、通信負荷抑制方法、及びそのプログラムを提供することを、その目的とする。
【課題を解決するための手段】
【００１８】
上記目的を達成するために、本発明に係る通信システムは、通信回線に接続され自機器内部におけるオブジェクトの状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備え、
前記オブジェクト管理部が、前記状態変化により生じるトラップ情報の発生を、前記オブジェクトの一部に対してこれを抑止制御するトラップ出力抑止制御機能を備える、という構成を採っている。
【００１９】
上記目的を達成するために、本発明に係る通信負荷抑制方法は、通信回線に接続され自機器内部におけるオブジェクトに状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備えた通信システムにあって、
前記通信回線を介して前記ネットワーク管理装置から前記一の通信機器に対してオブジェクトに対する構成変更要求が送り込まれた場合、当該一の通信機器では当該構成変更の実行に先立って、前記オブジェクトが複数格納されているオブジェクト用データベースに対して構成変更が実行された場合に出力される前記トラップ情報についてその出力抑止を要請し（トラップ抑止要請工程）、
この出力抑止要請後に、前記オブジェクト用データベースに対して前記複数のオブジェクトの内の一部のオブジェクトを対象として前記トラップ情報の出力を抑止するトラップ情報出力抑止状態を設定し（トラップ抑止状態設定工程）、
同時に、対応関係にある他の通信機器に対しても、オブジェクトの構成変更時におけるトラップ情報の出力の抑止を要求するようにし（トラップ抑止要求工程）、
これらの各工程を前記オブジェクト管理部が順次実行する、という構成を採っている。
【００２０】
上記目的を達成するために、本発明に係る通信負荷抑制プログラムは、通信回線に接続され自機器内部におけるオブジェクトに状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備えた通信システムにあって、
前記通信回線を介して前記ネットワーク管理装置から前記一の通信機器に対してオブジェクトに対する構成変更要求が送り込まれた場合に稼働し、当該構成変更の実行に先立って、前記オブジェクトが複数格納されているオブジェクト用データベースに対して構成変更の実行時に出力される前記トラップ情報についてその出力抑止を要請するトラップ抑止要請出力機能、
この出力抑止の要請後に機能し前記オブジェクト用データベースに格納された複数のオブジェクトの内の一部のオブジェクトを対象としてトラップ抑止状態を設定するトラップ抑止状態設定機能、
および対応関係にある他の通信機器に対しても、オブジェクトの構成変更時におけるトラップ情報の出力の抑止を要求するトラップ抑止要求送信処理機能、
を設け、これらの各機能を前記一の通信機器が備えているコンピュータに実現させるようにした、という構成を採っている。
【発明の効果】
【００２１】
本発明は、以上のように構成したので、これによると、ネットワーク管理装置からのオブジェクトに対する構成変更要求に対し、その実行結果である各通信機器からネットワーク管理装置に対する監視用トラップの送信量を各通信機器自ら有効に抑止することが可能となり、これにより、ネットワーク管理装置の信号処理負荷を大幅に低減させることができ、他の機器相互間の通信を抑制することなく当該管理ネットワークにおける通信機器の動作状態を正確に且つ迅速に把握することを可能となるという優れた通信システム、通信負荷抑制方法、及びそのプログラムを提供することができる。
【図面の簡単な説明】
【００２２】
【図１】本発明にかかる通信システムの一実施形態を示す概略ブロック図である。
【図２】図１に開示した実施形態の具体的な内容を示すブロック図である。
【図３】図２に開示した実施形態中のオブジェクト管理部の各機能を示す説明図である。
【図４】図２に開示した実施形態中のオブジェクトデータベースに格納されたオブジェクト構成情報の一例を示す説明図である。
【図５】図２に開示した実施形態における構成変更のオブジェクトの対象例を示す説明図である。
【図６】図２に開示した実施形態におけるシステム全体の動作処理ステップを示すシーケンスチャートである。
【発明を実施するための形態】
【００２３】
〔概要〕
まず、本実施形態は、ＳＮＭＰ（Simple Network Management Protocol）によって、ネットワークの運用状態をＭＩＢ（Management information base ／ツリー上の仮想的データベース）にて監視／制御する場合に、通信機器の構成変更やネットワーク構成を変更する際に発生する不要なＳＮＭＰトラップの送出を防ぐようにしたものである。
【００２４】
即ち、ＳＮＭＰエージェント（通信機器）からＳＮＭＰマネージャであるネットワークマネジメントシステム（ＮＭＳ：ネットワーク管理装置）へ送信されるＳＮＭＰトラップ数を削減し、監視制御に使用する通信量を抑制するようにしたものである。
【００２５】
通常、ＳＮＭＰによって監視/ 制御される通信機器おいては、ネットワークや通信機器の状態変化をＮＭＳに通知するために、イベントが発生する毎にＳＮＭＰトラップが送信される。更に、リンクを介して対向する通信機器においても、構成変更を要因としたリンクが切断された場合には、障害通知のトラップがＮＭＳに対して送信される。
【００２６】
そこで、本実施形態では、通信機器が備えているオブジェクトの構成変更時に、内部で構成状態を管理するオブジェクト用データベースに基づき、親子関係を持つオブジェクトにおいて、親オブジェクトの構成変更が完了するまでは、子オブジェクトの変化が発生しても、更にその子オブジェクト（孫オブジェクト）の変化が発生しても、トラップ送信を抑止するようにした。
【００２７】
更に、対向リンク装置（他の通信機器）に対して、構成変更によるリンク断が始まる前に、予め変更対象のオブジェクトに対するトラップの抑止通知を行い、対向リンク装置の該当するオブジェクト、およびそのオブジェクト配下の状態変化のトラップの送信を抑止を行う。
そして、構成変更完了後には、変更対象のオブジェクトに対するトラップの抑止解除通知を行い、通常運用状態に戻す処理を行うようにした。
【００２８】
以下、上記課題解決を実行する本発明の一実施形態を、図１乃至図６に基づいて説明する。
最初に、図１を参照して本実施形態における通信システムの基本的な構成を説明し、その後に、図２乃至図６を参照して具体的な内容を順次説明する。
【００２９】
〔基本的な内容〕
図１において、本実施形態における通信システム１０は、ネットワーク（通信回線）１２に接続された複数の通信機器３０，４０，５０と、前記ネットワーク１２を介して送り込まれる前記トラップ情報に基づいて前記各通信機器３０〜５０の動作状態を監視するネットワーク管理装置１１とを備えている。
【００３０】
この内、通信機器３０は、自機器内部におけるオブジェクトの動作時の状態変化を検知した場合に生成されるトラップ情報の出力を管理するオブジェクト管理部３２を備えている。他の通信機器４０，５０も、同様に機能するオブジェクト管理部４２，５２を、それぞれ備えている。
【００３１】
そして、上記通信機器３０のオブジェクト管理部３２は、前記オブジェクト動作時の状態変化により生じるトラップ情報の生成および外部出力を、前記オブジェクトの一部を対象としてこれを抑止制御するトラップ出力抑止制御機能３１Ａを備えている。他の通信機器４０，５０のオブジェクト管理部通信機器４１，５１も、同様に機能するトラップ出力抑止制御機能４２Ａ，５２Ａを備えている（図３参照）。
【００３２】
このような構成において、システム全体が稼働状態に設定されると、前述したネットワーク管理装置１１は、各通信機器３０，４０，５０からネットワーク１２を介して送り込まれるＳＮＭＰトラップ（トラップ情報）に基づいて各通信機器３０，４０，５０が保持するオブジェクトの動作状態を、予め備えている動作状態監視機能により監視する。
【００３３】
この場合、ネットワーク管理装置１１は、例えば前記一の通信機器３０に対して送り込んだ構成変更要求に対して、当該一の通信機器３０の対応するオブジェクトが、前記構成変更要求にかかる状態変化を実行したか否かを、前述したＳＮＭＰトラップに基づいて確認する。
【００３４】
一方、この場合、通信機器３０のオブジェクト管理部３１は、前記トラップ出力抑止制御機能３２Ａを稼働させて、ＳＮＭＰトラップが前記ネットワーク管理装置１１に向けて発信されるのを必要最小限に抑制する。
例えば、構成変更要求では３個のオブジェクトが指定された場合、各オブジェクトの構成変更を実行しても、本実施形態では、最上位のオブジェクト１個に代表させて（最上位のオブジェクトに限定して）ＳＮＭＰトラップを出力させるように、トラップ出力が抑止制御される。
【００３５】
このため、ネットワーク１２を介してネットワーク管理装置１１へ送り込まれるＳＮＭＰトラップの数が、上記例では１／３に抑制されることから、ネットワーク１２の稼働時における全体な負荷を大幅に軽減することが可能となる。
【００３６】
即ち、本実施形態によると、構成変更時に内部で管理するオブジェクト単位でＳＮＭＰトラップ抑止を行うことによって、構成変更時に発生する不要なトラップを無くすことができ、監視に必要なＳＮＭＰトラップ数を削減することができる。
【００３７】
又、対向するリンク１６の先にある装置（通信機器３０）に対しても、同一にイベントが発生するオブジェクトに対してトラップ抑止を行い、当該機器３０の構成変更によって対応するリンク装置（通信機器３）が不要なトラップを発信するのを有効に抑止することができ、これによりネットワーク１２およびネットワーク管理装置１１の負担を大幅に低減することが可能となり、同時に管理ネットワーク帯域の有効活用が可能となる。
【００３８】
〔具体的内容〕
以下、これを、図２乃至図６を参照して、更に詳述する。
（構成）
上述したように、通信システム１０は、複数の通信機器３０，４０，５０と、ネットワーク１２を介して各通信機器３０，４０，５０の動作状態を監視し制御するネットワーク管理装置１１とを備えている。この複数の各通信機器３０，４０，５０は、ＴＤＭ信号（時分割多重化信号）や Ether信号、無線リンクなど複数のインタフェースをインタフェースカード単位に構成できるマルチサービス可能なリンク装置である。
【００３９】
ここで、通信機器３０は、図２に示すように有線リンク１６を介して通信機器４０と相互に接続され、通信機器４０は有線リンク１７を介して通信機器５０と相互に接続され、通信機器５０は有線リンク１８を介して通信機器３０と相互に接続されている。
【００４０】
この内、通信機器３０は、前記オブジェクトが備えている構成内容に対する外部からの構成変更要求があった場合にこれを前述したオブジェクト管理部３２に伝達する変更要求送受信部３１と、前述したオブジェクト管理部３２と、前述したオブジェクトを格納したオブジェクト用データベース（オブジェクトＤＢ）３３とを備えている。他の通信機器４０，５０も、この通信機器３０と同様に、変更要求送受信部４１，５１、オブジェクト管理部４２，５２、及びオブジェクトＤＢ４３，５３とを、それぞれ備えている。
【００４１】
この内、オブジェクト管理部３２，４２，５２は、前述した図１の場合と同様に、それぞれがトラップ出力抑止制御機能３２Ａ，４２Ａ，５２Ａを備えている（図３参照）。
このトラップ出力抑止制御機能３２Ａ，４２Ａ，５２Ａは、具体的には後述するが、各グループ分けされた複数のオブジェクトの下位側に位置するオブジェクトを対象として、個別に前記トラップの出力を抑止制御するように機能する。
【００４２】
図４に、上記したオブジェクトＤＢ３３の内部構造の一例を示す。
この図４において、オブジェクトＤＢ３３は、グループ分けされた前記複数のオブジェクトを各グループ毎に区分けして記憶すると共に、各グループのオブジェクトは、予め上位から下位にわたって親子関係で順次ランク付けされている。
【００４３】
即ち、通信機器３０のオブジェクトの構成管理情報は、オブジェクト情報として前述したオブジェクトＤＢ３３に格納され、図４に示すように階層的に管理されている。
【００４４】
例えば、この図４にあって、この通信機器３０では最上位階層に装置オブジェクト３０ａが定義され、その下にマルチサービスのカードが搭載できるスロットオブジェクトが存在する。この図４の例では、通信機器３０のオブジェクトＤＢ３３には、５つのスロットオブジェクト１，２，３，４，５が存在する。
【００４５】
そして、この各スロットの各オブジェクト１，２，３，４，５には、マルチサービスカードのオブジェクトが登録される。この図４では、スロット１にカードＡ、スロット２にカードＡ、スロット３にカードＢ、スロット４にカードＣ、スロット５にカードＣがそれぞれ登録されている。
【００４６】
更に、カードオブジェクトの配下には、各カードが持つインタフェースのポートオブジェクトを登録できる。ポートオブジェクトの配下には、仮想的なリンク状態を示すＶＬＡＮ（Virtual Local Area Network）オブジェクトや、ＴＤＭ信号の最小単位であるＥ１オブジェクトを、論理パスとして登録することができる。このような構成管理状態は、前述したオブジェクトＤＢ３３にて管理されている。
【００４７】
本実施形態では、図４に示す親子関係をもって格納されたオブジェクトを管理するオブジェクトＤＢ３３によって、親オブジェクトの構成変更中に、子オブジェクトに発生する状態変化通知のトラップを抑止することが可能である。かかる抑止制御は、前述したオブジェクト管理部３２によって成されるように構成されている。
【００４８】
又、対向するリンク先の装置（通信機器）４０，５０に対しても、トラップ抑止通知を送信し、対向する装置（通信機器）のリンク先につながるオブジェクトに対して、リンク断をトリガとするトラップ送信を抑止することができる。
他の各通信機器４０，５０も、同様の構成および機能を備えたものとなっている。
【００４９】
これにより、一のグループの複数のオブジェクトについて外部からの構成変更要求があり、これを実行した場合でも、当該一のグループの内の一のオブジェクト（例えば最上位に位置するオブジェクト）が外部に対してＳＮＭＰトラップを発信し、他のオブジェクトからのＳＮＭＰトラップの発信を抑止することが可能となる。
かかる動作は、具体的には、例えばオブジェクト管理部３２によって制御されている（トラップ出力抑止制御機能３２Ａの実行）。
【００５０】
ここで、上記した通信機器３０のオブジェクト管理部３２について、更に具体的に説明する。
この通信機器３０のオブジェクト管理部３２は、対応する他の通信機器４０におけるトラップ出力の抑止設定を要求するための対応機器用トラップ抑止要求の送信を、自機器３０の前記変更要求送受信部３１を介して他の通信機器４０に送信する抑止要求送信制御機能３２Ｂを備えている。
【００５１】
一方、変更要求送受信部３１は、このオブジェクト管理部３２からの要請を受けて機能し前記対応機器用のトラップ抑止要求を、他の通信機器４０に対して送信するトラップ抑止要求送信機能３１Ａを備えている。
これにより、トラップ抑止要求が有線リンク１６を介して通信機器３０から通信機器４０へ送られ、同様のトラップ抑止動作が通信機器４０にて実行される。
【００５２】
又、前述したオブジェクト管理部３２は、有線リンク１６を介して前記他の通信機器４０からトラップ抑止完了通知が送られて来た場合に機能し、自機器３０における対象オブジェクトに対する構成変更を実行する構成変更実行処理機能３２Ｃを備えている。
これにより、隣接する前記他の通信機器４でも、各オブジェクトに対する構成変更が実行されても、トラップの発信を有効に抑止することが可能となる。
【００５３】
更に、前述したオブジェクト管理部３２は、自機器３０の前記オブジェクトＤＢ３３から構成変更完了通知が送られて来た場合に機能し、当該自機器３０の前記オブジェクトＤＢ３３に対して前記各オブジェクトに対するトラップ抑止状態を解除するトラップ抑止解除機能３２Ｄを備えている。
これにより、例えば下位に位置する特定の一のオブジェクトに対する構成変更の要請があった場合に、当該構成変更が実行された結果を通知するトラップ発信が可能とし、これによって、システム全体の円滑動作がな成されるようになっている。
【００５４】
又、前述した通信機器３０にかかるオブジェクト管理部３２は、対応する他の通信機器４０がトラップ抑止状態に有る場合に、当該トラップ抑止状態の解除を前記変更要求送受信部３１を介して要求する解除要求送信制御機能３２Ｅを備えている。
【００５５】
具体的には、まず、オブジェクト管理部３２がその解除要求の送信を当該自機器３０の前記変更要求送受信部３１に要請する機能を備え、当該変更要求送受信部３１は、このオブジェクト管理部３２からの要請を受けて作動し前記他の通信機器４０にて実行されているトラップ抑止設定状態の解除を要求する抑止状態解除要求３１Ｂを、前記他の通信機器４０に対して送信する解除要求送信機能３１Ｃを備えている。
【００５６】
これにより、当該他の通信機器４０は、通信機器３０との連係の下に、トラップ抑止設定状態を円滑に解除することを可能とすることができる。
【００５７】
また、前述したオブジェクト管理部３２は、他の通信機器４０からトラップ抑止解除完了通知が送られて来た場合に機能し、前記構成変更が完了したことをネットワーク管理装置１１に対して通知するためのオブジェクト構成変更完了通知を生成し送信する構成変更完了通知機能３２Ｆを備えている。
【００５８】
これにより、ネットワーク管理装置１は、構成変更完了通知を受信することにより、通信機器３０の一又二上のオブジェクトを対象として発信した構成変更が全て完了したことを知ることができ、この間、ネットワーク負荷の増大が有効に抑制されることから、各オブジェクトに対する構成変更の前記完了通知を、迅速に取得し得ることとなる。
他の通信機器４０および５０におけるオブジェクト管理部４２．５２も、上記通信機器３０のオブジェクト管理部３２と同様の機能を備えている。
【００５９】
（実施形態の動作）
次に、上記実施形態（通信システム）の動作を、図５乃至図６を参照して説明する。
【００６０】
まず、ネットワーク（通信回線）１２を介してネットワーク管理装置（ＮＭＳ）１１から前記一の通信機器３０に対してオブジェクトに対する構成変更要求が送り込まれた場合、当該一の通信機器３０では当該構成変更の実行に先立ってオブジェクト管理部３２が機能し、前記オブジェクトが複数格納されているオブジェクトＤＢ３３に対し、構成変更の実行時に出力される前記トラップ情報についての出力抑止を指令する（トラップ抑止指令出力工程）。
【００６１】
これにより、前記オブジェクトＤＢ３３では、前記複数のオブジェクトの内の一部のオブジェクトを対象としてトラップ情報の出力を抑止するトラップ出力抑止状態が設定される（トラップ抑止状態設定工程）。
【００６２】
そして、次に、対応関係にある他の通信機器４０に対しても、オブジェクトの構成変更時におけるトラップ情報の出力の抑止を要求するようにする（トラップ抑止要求工程）。かかる要求は有線リンク１６を介して他の通信機器４０に送信される。
【００６３】
一方、各通信機器３０，４０，５０のオブジェクトは、前述したように、それぞれが複数のブループ（本実施形態では５組）から成る複数のオブジェクトにより構成されている。そして、前記トラップ情報の出力を抑制するトラップ出力抑止状態は、本実施形態では、前記各グループ分けされ親子関係を持って格納された複数のオブジェクトの下位側に位置するオブジェクトに対して適用するように設定されている。
【００６４】
この場合、前記他の通信機器４０に対してオブジェクトの構成変更時に生じるトラップ情報の出力抑止に設定要求に際しては、当該他の通信機器４０に対して成されるトラップ抑止要求の送信を、前記オブジェクト管理部３２が自機器の変更要求送受信部３１に要請することで開始される（抑止要求送信要請工程）。
これを受けて、自機器３０の当該変更要求送受信部３１が機能し、前記対応機器用トラップ抑止要求を他の通信機器４０に対して送信する（トラップ抑止要求送信工程）。
【００６５】
一方、他の通信機器４０でトラップ抑止設定が行われトラップ抑止完了通知が送られて来た場合に、前記オブジェクト管理部３２は自機器３０の前記構成変更の対象となるオブジェクトの構成変更を、前記オブジェクトＤＢ３３に対して実行する（構成変更実行工程）。
【００６６】
次に、オブジェクト管理部３２は、自機器３０のオブジェクトＤＢ３３から構成変更完了通知が出力された場合に稼働し、当該オブジェクトＤＢ３３に対して前記各オブジェクトに対するトラップ抑止設定状態を解除する（トラップ抑止解除工程）。
【００６７】
このオブジェクト管理部３２による自機器３０にかかるオブジェクトＤＢ３３に対するトラップ抑止設定状態の解除後に、対応する他の通信機器４０に設定されているトラップ抑止状態を解除する抑止状態解除要求の送信を、前記オブジェクト管理部３２が当該自機器３０の変更要求送受信部３１に要請する（解除要求送信要請工程）。
【００６８】
このオブジェクト管理部３２からの要請を受けて前記変更要求送受信部３１が稼働し、トラップ抑止状態の解除要求を前記他の通信機器に対して送信する（解除要求送信工程）。  そして、他の通信機器４０からトラップ抑止解除完了通知が送られて来た場合に、前記オブジェクト管理部３２は、前記構成変更の完了通知を前記ネットワーク管理装置１１に対して送信し（構成変更完了通知工程）、これをもってネットワーク管理装置１１からの要求は実行され、オブジェクトに対する構成変更処理は完了する。
【００６９】
（トラップ抑止動作の具体例）
次に、上記通信システム１０にあって、通信機器３０が保持するオブジェクトの構成変更時に生じるトラップの抑止動作について、具体的に説明する。
【００７０】
まず、ネットワーク管理装置１１から通信機器３０のポートオブジェクト（以下、単に「ポート」という）３３１に対して、構成変更の要求が来た場合、図４におけるポート３３１の構成変更が完了するまでは、ポート３３１に登録されているＶＬＡＮ３３２およびＶＬＡＮ３３３に状態変化が発生しても、トラップ送信は抑止される。
対向するリンク装置（通信機器４０）においても、該当リンク上にポートのオブジェクトおよびＶＬＡＮのオブジェクトが存在する場合にはトラップの送信が抑止される。
【００７１】
次に、上記トラップの送信抑止にかかる具体的な動作を図５のシーケンス図を用いて説明する。
ＮＭＳ（ネットワーク管理装置）１１から通信機器３０に対してポートの構成変更要求（ＳＮＭＰ SetRequest ）１００が送信されると、通信機器３０の変更要求送受信部（ＳＮＭＰ処理部）３１は、オブジェクト管理部３２に対して、構成変更要求１０１を送信する。
【００７２】
この構成変更要求１０１を受信したオブジェクト管理部３２は、対象となるオブジェクトと、その対象オブジェクトに子オブジェクトや孫オブジェクトの関係あたるオブジェクトを検索して、対象オブジェクト配下のオブジェクトに対して、トラップ抑止（ポート）１０２およびトラップ抑止（ＶＬＡＮ）１０３、およびトラップ抑止（ＶＬＡＮ）１０４を送信する。
【００７３】
また、対応リンク装置（通信機器４０）に対しても該当オブジェクトのトラップ抑止を行う必要があるため、通信機器３０のオブジェクト管理３２は変更要求送受信部（ＳＮＭＰ処理部）３１に対して、対向リンクトラップ抑止要求１０５を送信する。
【００７４】
この場合、本実施形態では、トラップ抑止要求とトラップ抑止解除要求のＭＩＢ（Management Information Base ／ツリー上の仮想的データベース）は個別に用意されており、通信機器３０の変更要求送受信部３１はＳＮＭＰセットリクエスト（ＳＮＭＰ Set Request）としてのトラップ抑止要求１０６を送信する。
【００７５】
このＳＮＭＰセットリクエスト１０６を受信した変更要求送受信部（ＳＮＭＰ処理部）４１は、オブジェクト管理部４２に対してトラップ抑止要求１０７を送信する。これを受けて、オブジェクト管理部４２は、対象オブジェクト及び対象オブジェクトの子オブジェクトを検索する。
【００７６】
そして、オブジェクト管理部４２は、対象オブジェクトに対してトラップ抑止（ポート）１０８、トラップ抑止（ＶＬＡＮ）１０９、トラップ抑止（ＶＬＡＮ）１１０を送信する。これにより、対象オブジェクトに状態変化が発生しても、トラップが有効に抑止される。又、オブジェクト管理部４２は、該当オブジェクトに対してトラップ抑止を送信し終わると変更要求送受信部４１に対してトラップ抑止完了１１１を送信する。
【００７７】
このトラップ抑止完了１１１を受信した変更要求送受信部４１は、通信機器３０の変更要求送受信部３１に対し、ＳＮＭＰセットレスポンス（ＳＮＭＰ SetResponce）１１２を送信する。これを受けて、変更要求送受信部３１は、オブジェクト管理部３２に対して対向リンク装置（通信機器４０）のトラップ抑止が完了したことを示す対向リンクトラップ抑止完了１１３を送信する。
【００７８】
この時点で、構成変更対象の装置（通信機器３０）および対向リンク装置（通信機器４０）の該当オブジェクトに対するトラップ抑止が完了している。このため、オブジェクト管理部３２は、対象オブジェクトに対して構成変更（ポート）１１４を実施する。続いて、オブジェクトＤＢ３３より構成変更完了（ポート）１１５を受信し、構成変更が完了する。
【００７９】
次に、トラップ抑止を行ったオブジェクトに対して、抑止解除を行う。
まず、構成変更対象装置である通信機器３０のオブジェクト管理部３２は、トラップ抑止を行っているオブジェクトをトラップが正常にあがる運用状態の戻すため、トラップ抑止解除（ポート）１１６、トラップ抑止解除（ＶＬＡＮ）１１７、トラップ抑止解除（ＶＬＡＮ）１１８をオブジェクトＤＢ３３に送信する。
【００８０】
又、対向リンク装置（通信機器４０）のトラップ抑止を解除するため、対向リンクトラップ抑止解除要求１１９を変更要求送受信部３１に送信し、これを受けて変更要求送受信部３１は、ＳＮＭＰセットリクエスト（ＳＮＭＰ SetRequest ）１２０を通信機器４０の変更要求送受信部４１に送信する。
【００８１】
変更要求送受信部（ＳＮＭＰ処理部）４１はオブジェクト管理部４２に対してトラップ抑止解除要求１２１を送信する。これを受けて、オブジェクト管理部４２は、トラップ抑止解除（ポート）１２２、トラップ抑止解除（ＶＬＡＮ）１２３、トラップ抑止解除（ＶＬＡＮ）１２４をオブジェクトＤＢ４３に送信して、トラップ抑止を解除する。
【００８２】
オブジェクト管理部４２は、トラップ抑止解除完了１２５を変更要求送受信部４１に送信し、変更要求送受信部４１はＳＮＭＰセットレスポンス１２６として通信機器３０の変更要求送受信部３１に応答する。
その変更要求送受信部３１は、オブジェクト管理部３２に対して対向リンクトラップ抑止解除完了１２７を送信して、対応リンク装置（通信機器４０）の抑止解除が完了する。
【００８３】
ここで、すべての処理が終わったため、構成変更完了１２８をオブジェクト管理部３２から変更要求送受信部３１に送信され、ＮＭＳに対してＳＮＭＰセットレスポンス（ＳＮＭＰ SetResponce）が送信される。
【００８４】
尚、上記実施形態にあって、通信機器３０，４０，５０について説明したが、これは例示であり、ネットワーク１２に接続される通信機器を、この三台に限定するものではない。
【００８５】
本実施形態にかかる通信システム１０は、上述したように構成され動作するので、これによると、以下に示す効果を備えたものとなっている。
【００８６】
第１の効果は、装置構成変更時に発生するトラップ発出数が減るため管理ネットワークの通信帯域を削減でき、従来、ＮＭＳ（ネットワーク管理装置）１１に多量に送り込まれていた不要なトラップが上述したように有効に抑止されるので、必要な情報が埋もれることがなくなり、管理ネットワーク１２を効率的な運用が可能となるという利点がある。
【００８７】
第２の効果は、トラップ抑止する対象を構成変更が影響する該当するオブジェクトに絞り込むため、その他のオブジェクトでは正常にトラップが発生し装置内でのきめ細かいサービスの継続を行うことが可能となる。
【００８８】
即ち、本実施形態にあっては、ネットワーク管理装置１１からのオブジェクトに対する構成変更要求に対し、その実行結果である各通信機器３０，４０，５０からネットワーク管理装置１１に対する監視用トラップの送信量を各通信機器３０，４０，５０自ら有効に抑止することが可能となり、これにより、ネットワーク管理装置１１の信号処理負荷を大幅に低減させることができ、他の機器相互間の通信を抑制することなく当該管理ネットワーク１２における通信機器３０，４０，５０の動作状態を正確に且つ迅速に把握することを可能となるという優れた通信システム、通信負荷抑制方法、及びそのプログラムを得ることができる。
【００８９】
ここで、上述した実施形態にあって、オブジェクト管理部３２によって実行される各制御動作については、その実行内容をプログラム化し、通信機器３０が備えているコンピュータに実行させるように構成してもよい。他の通信機器４０，５０についても、同様である。
また、本プログラムは、非一時的な記憶媒体、例えば、ＤＶＤ、ＣＤ、フラッシュメモリなどに記録されてもよい。その場合、本プログラムは当該記憶媒体からコンピュータによって読み出され、実行される。
【００９０】
上述した実施形態については、その新規な技術的内容の要点をまとめると、以下のようになる。尚、ここにまとめた新規な技術的内容については、本発明をこれに限定するものではない。
【００９１】
〔付記１〕（トラップ出力抑止制御機能）
通信回線に接続され自機器内部におけるオブジェクトの状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備え、
前記オブジェクト管理部が、前記状態変化により生じるトラップ情報の発生を、前記オブジェクトの一部に対してこれを抑止制御するトラップ出力抑止制御機能を備えたことを特徴とする通信システム。
【００９２】
〔付記２〕（通信機器の構成／オブジェクトのグループ分け）
付記１に記載の通信システムにおいて、
前記各通信機器は、前記オブジェクト管理部と、このオブジェクト管理部に併設され前記オブジェクトが格納されたオブジェクト用データベースと、前記オブジェクトが備えている構成内容に対する外部からの構成変更要求があった場合にこれを前記オブジェクト管理部に伝達する変更要求送受信部とを備え、
前記オブジェクト用データベースはグループ分けされた前記オブジェクトの複数を各グループ毎に区分けして記憶すると共に、各グループのオブジェクトは、予め上位から下位にわたって親子関係で順次ランク付されていることを特徴とした通信システム。
【００９３】
〔付記３〕（抑止制御・個別適用機能）
付記２に記載の通信システムにおいて、
前記オブジェクト管理部の前記トラップ出力抑止制御機能は、前記各グループ分けされた複数のオブジェクトの下位側に位置するオブジェクトを対象として個別に前記トラップの出力を抑止制御するように機能することを特徴とした通信システム。
【００９４】
〔付記４〕（他の通信機器へのトラップ抑止要求）
付記２に記載の通信システムにおいて、
前記一の通信機器の前記オブジェクト管理部は、対応する他の通信機器におけるトラップ出力の抑止設定を要求するためのトラップ抑止設定要求を、前記変更要求送受信部を介して前記他の通信機器に対して送信するトラップ抑止要求送信制御機能を備えていることを特徴とした通信システム。
【００９５】
〔付記５〕（自機器／構成変更の実行）
付記４に記載の通信システムにおいて、
前記オブジェクト管理部は、前記他の通信機器からトラップ抑止完了通知が送られて来た場合に機能し、自機器の前記構成変更の対象となるオブジェクトの構成変更を実行する構成変更実行処理機能を備えていることを特徴とする通信システム。
【００９６】
〔付記６〕（トラップ抑止解除機能）
付記５に記載の通信システムにおいて、
前記オブジェクト管理部は、自機器の前記オブジェクト用データベースから構成変更完了通知が送られて来た場合に機能し、当該自機器の前記オブジェクト用データベースに対して前記各オブジェクトに対するトラップ抑止状態を解除するトラップ抑止解除機能を備えていることを特徴とした通信システム。
【００９７】
〔付記７〕（他の通信機器への解除要求の送信）
付記６に記載の通信システムにおいて、
前記自機器にかかる前記オブジェクト管理部は、対応する他の通信機器にて実行されているトラップ抑止状態の設定解除要求を前記変更要求送受信部を介して送信する解除要求送信制御機能を備えていることを特徴とした通信システム。
【００９８】
〔付記８〕（構成変更完了通知）
付記７に記載の通信システムにおいて、
前記オブジェクト管理部は、前記他の通信機器からトラップ抑止解除完了通知が送られて来た場合に機能し、前記構成変更の完了を前記ネットワーク管理装置に対してオブジェクト構成変更完了通知を生成し送信する構成変更完了通知機能を備えていることを特徴とした通信システム。
【００９９】
〔付記９〕（方法の発明／付記１，４対応）
通信回線に接続され自機器内部におけるオブジェクトに状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備えた通信システムにあって、
前記通信回線を介して前記ネットワーク管理装置から前記一の通信機器に対してオブジェクトに対する構成変更要求が送り込まれた場合、当該一の通信機器では当該構成変更の実行に先立って、前記オブジェクトが複数格納されているオブジェクト用データベースに対して構成変更が実行された場合に出力される前記トラップ情報についてその出力抑止を要請し（トラップ抑止要請工程）、
この出力抑止要請後に、前記オブジェクト用データベースに対して前記複数のオブジェクトの内の一部のオブジェクトを対象として前記トラップ情報の出力を抑止するトラップ情報出力抑止状態を設定し（トラップ抑止状態設定工程）、
同時に、対応関係にある他の通信機器に対しても、オブジェクトの構成変更時におけるトラップ情報の出力の抑止を要求するようにし（トラップ抑止要求工程）、
これらの各工程を前記オブジェクト管理部が順次実行することを特徴とした通信負荷抑制方法。
【０１００】
〔付記１０〕（付記３対応）
付記９に記載の通信負荷抑制方法において、
前記各通信機器のオブジェクトは複数のブループから成る複数のオブジェクトにより構成されており、
前記トラップ情報の出力を抑制するトラップ出力抑止状態の設定は、前記各グループ分けされ親子関係を持って格納された複数のオブジェクトの下位側に位置するオブジェクトに対して適用する構成としたことを特徴とする通信負荷抑制方法。
【０１０１】
〔付記１１〕（付記４対応）
付記９に記載の通信負荷抑制方法において、
前記他の通信機器に対する前記トラップ抑止要求の工程にあっては、
前記他の通信機器に対して当該他の通信機器おけるトラップ出力の抑止設定を要求するための対応機器用トラップ抑止要求の送信を、前記オブジェクト管理部が自機器の前記変更要求送受信部に要請し（抑止要求送信要請工程）、
これを受けて自機器の前記変更要求送受信部が機能し、前記対応機器用トラップ抑止要求を前記他の通信機器に対して送信するようにしたこと（トラップ抑止要求送信工程）を特徴とする通信負荷抑制方法。
【０１０２】
〔付記１２〕（付記５対応）
付記１１に記載の通信負荷抑制方法において、
前記他の通信機器からトラップ抑止完了通知が送られて来た場合に、前記オブジェクト管理部は自機器の前記構成変更の対象となるオブジェクトの構成変更を前記オブジェクト用データベースに対して実行するようにしたこと（構成変更実行工程）を特徴とする通信負荷抑制方法。
【０１０３】
〔付記１３〕（付記６対応）
付記１２に記載の通信負荷抑制方法において、
前記自機器のオブジェクト用データベースから構成変更完了通知が出力された場合に稼働し、当該オブジェクト用データベースに対して前記各オブジェクトに対するトラップ抑止設定状態を、前記オブジェクト管理部が解除するようにしたこと（トラップ抑止解除工程）を特徴とする通信負荷抑制方法。
【０１０４】
〔付記１４〕（付記７対応）
付記１３に記載の通信負荷抑制方法において、
自機器にかかる前記オブジェクト用データベースに対するトラップ抑止設定状態の解除後に、対応する他の通信機器に設定されているトラップ抑止状態を解除する抑止状態解除要求の送信を、前記オブジェクト管理部が当該自機器の前記変更要求送受信部に要請し（解除要求送信要請工程）、
このオブジェクト管理部からの要請を受けて稼働し前記トラップ抑止状態の解除要求を、自機器の前記変更要求送受信部が前記他の通信機器に対して送信すること（解除要求送信工程）を特徴とした通信負荷抑制方法。
【０１０５】
〔付記１５〕（付記８対応）
付記１４に記載の通信負荷抑制方法において、
前記他の通信機器からトラップ抑止解除完了通知が送られて来た場合に、前記オブジェクト管理部は前記構成変更の完了通知を前記ネットワーク管理装置に対して送信すること（構成変更完了通知工程）を特徴とした通信負荷抑制方法。
【０１０６】
〔付記１６〕（付記９対応）
通信回線に接続され自機器内部におけるオブジェクトに状態変化があった場合に外部に向けて出力されるイベント通知としてのトラップ情報の出力を管理するオブジェクト管理部を備えた複数の通信機器と、前記トラップ情報に基づいて前記各通信機器の動作状態を監視するネットワーク管理装置とを備えた通信システムにあって、
前記通信回線を介して前記ネットワーク管理装置から前記一の通信機器に対してオブジェクトに対する構成変更要求が送り込まれた場合に稼働し、当該構成変更の実行に先立って、前記オブジェクトが複数格納されているオブジェクト用データベースに対して構成変更の実行時に出力される前記トラップ情報についてその出力抑止を要請するトラップ抑止要請出力機能、
この出力抑止の要請後に機能し前記オブジェクト用データベースに格納された複数のオブジェクトの内の一部のオブジェクトを対象としてトラップ抑止状態を設定するトラップ抑止状態設定機能、
および対応関係にある他の通信機器に対しても、オブジェクトの構成変更時におけるトラップ情報の出力の抑止を要求するトラップ抑止要求送信処理機能、
を設け、これらの各機能を前記一の通信機器が備えているコンピュータに実現させるようにしたことを特徴とする通信負荷抑制プログラム。
【０１０７】
〔付記１７〕（付記１０対応）
付記１６に記載の通信負荷抑制プログラムにおいて、
前記各通信機器のオブジェクトは予め複数のブループから成る複数のオブジェクトにより構成されており、
前記トラップ出力抑止状態設定機能では、前記各グループ分けされ親子関係を持って格納された複数のオブジェクトの下位側に位置するオブジェクトに対して前記トラップ出力抑止状態を設定する構成とし、
これを前記コンピュータに実現させるようにしたことを特徴とする通信負荷抑制プログラム。
【０１０８】
〔付記１８〕（付記１２対応）
付記１６に記載の通信負荷抑制プログラムにおいて、
前記他の通信機器からトラップ抑止完了通知が送られて来た場合に稼働し、前記構成変更の対象となるオブジェクトの構成変更を前記オブジェクト用データベースに対して実行する構成変更実行処理機能を設け、
これを前記コンピュータに実現させるようにしたことを特徴とする通信負荷抑制プログラム。
【０１０９】
〔付記１９〕（付記１３対応）
付記１８に記載の通信負荷抑制プログラムにおいて、
前記自機器のオブジェクト用データベースから構成変更完了通知が出力された場合に稼働して当該オブジェクト用データベースに対して前記各オブジェクトに対するトラップ抑止設定状態を解除するトラップ抑止解除機能を設け、
これを前記コンピュータに実現させるようにしたことを特徴とする通信負荷抑制プログラム。
【０１１０】
〔付記２０〕（付記１４対応）
付記１９に記載の通信負荷抑制プログラムにおいて、
前記自機器にかかる前記オブジェクト用データベースに対するトラップ抑止設定状態の解除後に機能し、対応する他の通信機器に設定されているトラップ抑止状態を解除する抑止状態解除要求の送信を前記変更要求送受信部に要請する解除要求送信制御機能を設け、
これを前記コンピュータに実現させるようにしたことを特徴とする通信負荷抑制プログラム。
【０１１１】
〔付記２１〕（付記１５対応）
付記２０に記載の通信負荷抑制プログラムにおいて、
前記他の通信機器からトラップ抑止解除完了通知が送られて来た場合に機能して前記構成変更の完了通知を生成し前記ネットワーク管理装置に対して送信する構成変更完了通知処理機能を設け、
これを前記コンピュータに実現させるようにしたことを特徴とする通信負荷抑制プログラム。
【産業上の利用可能性】
【０１１２】
本発明は、通信機器が固有に持つイベントログやＵＮＩＸ（登録商標）系ＯＳでシステムの動作状況やメッセージログを残す機能としてのｓｙｓｌｏｇに対して有用に適用することができる。
【符号の説明】
【０１１３】
１０  通信システム
１１  ネットワーク管理装置
１２  ネットワーク（管理ネットワーク／通信回線）
３０，４０，５０  通信機器
３１，４１，５１  変更要求送受信部（ＳＮＭＰ処理部）
３２，４２，５２  オブジェクト管理部
３３，４３，５３  オブジェクト用データベース（オブジェクトＤＢ）
３２Ａ，４２Ａ，５２Ａ  トラップ出力抑止制御機能
３２Ｂ，４２Ｂ，５２Ｂ  抑止要求送信制御機能
３２Ｃ，４２Ｃ，５２Ｃ  構成変更実行処理機能
３２Ｄ，４２Ｄ，５２Ｄ  トラップ抑止解除機能
３２Ｅ，４２Ｅ，５２Ｅ  解除要求送信制御機能
３２Ｆ，４２Ｆ，５２Ｆ  構成変更完了通知機能
３１Ａ，４１Ａ，５１Ａ  トラップ抑止要求送信機能
【図１】
2014164737.tif 000003
【図２】
2014164737.tif 000004
【図３】
2014164737.tif 000005
【図４】
2014164737.tif 000006
【図５】
2014164737.tif 000007
【図６】
2014164737.tif 000008